(57)【特許請求の範囲】
【請求項１】
複数の収納ボックスからなるロッカーと、前記ロッカーの利用希望者が所有する移動通信端末と、前記利用希望者からの前記ロッカーの利用申込みに対して、該ロッカーの利用を許可する識別情報を発行する識別情報発行サーバと、から構成され、
前記識別情報発行サーバは、前記利用申込みに対して前記ロッカーの正当な利用権限者であることを示す識別情報を発行する識別情報発行手段と、前記発行した識別情報及び該識別情報を送信先の機器に書き込むプログラムを添付した電子メールを前記移動通信端末へ送信するメール送信手段と、前記発行した識別情報を前記ロッカーへ通知する識別情報通知手段と有し、
前記移動通信端末は、前記メール送信手段により送信された電子メールを受信し、該電子メールの開封を認識すると同時に、前記プログラムを起動させて該電子メールに添付された前記ロッカーの扉を解錠するための識別情報を自動的に記憶する記憶手段を有し、
前記ロッカーは、前記識別情報通知手段により通知された識別情報を登録する登録手段と、前記記憶手段により前記移動通信端末に記憶された識別情報を取得する取得手段と、前記取得手段により取得した識別情報と前記登録手段により登録された識別情報との一致判定を行う判定手段と、前記判定手段により前記取得手段で取得した識別情報と前記登録手段で登録された識別情報とが一致した際に前記ロッカー扉を解錠する解錠手段と、を有することを特徴とする移動通信端末を用いたロッカーシステム。
【請求項２】
前記識別情報は、前記移動通信端末のＭＡＣアドレスであることを特徴とする請求項１記載のロッカーシステム。
【請求項３】
前記識別情報発行手段は、前記利用申込みに対して割り当て可能な識別情報から任意に選択した識別情報を前記移動通信端末に対して発行することを特徴とする請求項１又は２記載のロッカーシステム。
【請求項４】
前記取得手段は、赤外線通信又はブルートゥース（Ｂｌｕｅｔｏｏｔｈ）通信によるものであることを特徴とする請求項１から３の何れか１項に記載の移動通信端末を用いたロッカーシステム。
【請求項５】
前記移動通信端末は、前記記憶手段により記憶した識別情報をバーコード情報として表示画面上に表示する表示手段を有し、
前記取得手段は、前記表示手段により前記移動通信端末の表示画面上に表示されたバーコード情報を予め前記ロッカーに設置されているスキャナにより取得することを特徴とする請求項１から４の何れか１項に記載の移動通信端末を用いたロッカーシステム。
【請求項６】
前記利用希望者による前記識別情報発行サーバへの利用申込みは、電話通信網を介しての電話連絡やＦＡＸ通信による申し込み、移動通信回線網を介して移動通信端末による申し込み、インターネット回線網を介しての電子メールや前記識別情報発行サーバにより運営されるＷｅｂサイト上での申し込み、の何れか又はこれらの組み合わせであることを特徴とする請求項１から５の何れか１項に記載の移動通信端末を用いたロッカーシステム。
【請求項７】
前記識別情報発行サーバは、前記利用希望者からの利用希望期間の情報を含む利用申込みに応じて、前記識別情報の有効期間を設定することを特徴とする請求項１から６の何れか１項に記載の移動通信端末を用いたロッカーシステム。
【請求項８】
前記移動通信端末は、前記取得手段による識別情報の取得処理が行われた履歴情報を記憶し、定期的に移動通信回線網を介して前記移動通信端末による通信料金の課金集計を行う課金サーバへ前記履歴情報を通知し、
前記課金サーバは、前記履歴情報に基づいて算出した前記ロッカーの利用料金を前記移動通信端末による通信料金と共に前記利用希望者に課金することを特徴とする請求項１から７の何れか１項に記載の移動通信端末を用いたロッカーシステム。
【請求項９】
前記ロッカーは、通信回線網を介して前記移動通信端末による通信料金の課金集計を行う課金サーバに接続され、前記利用希望者による前記ロッカーの利用情報を定期的に前記通信回線網を介して前記課金サーバに通知し、
前記課金サーバは、前記利用情報に基づいて前記ロッカーの利用料金を算出し、当該利用料金を前記通信端末による通信料金と共に前記利用希望者に課金することを特徴とする請求項１から８の何れか１項に記載の移動通信端末を用いたロッカーシステム。
【請求項１０】
前記ロッカーは、前記移動通信端末を所持した利用希望者が該ロッカーから所定距離内に接近したことを検知する人検知手段を有し、
前記取得手段は、前記人検知手段により利用希望者の存在を検知すると、前記移動通信端末に記憶されている識別情報の取得処理を実行することを特徴とする請求項１から９の何れか１項に記載の移動通信端末を用いたロッカーシステム。
【請求項１１】
複数の収納ボックスからなるロッカーと、前記ロッカーの利用希望者が所有する移動通信端末と、前記利用希望者からの利用申込みに対して、該ロッカーの利用を許可する識別情報を発行する識別情報発行サーバと、から構成されるロッカーシステムの扉解錠方法であって、
前記利用希望者が前記識別情報発行サーバに対して識別情報の発行を依頼する識別情報発行依頼ステップと、
前記識別情報発行サーバが前記依頼に対して前記ロッカーの正当な利用権限者であることを示す識別情報を発行する識別情報発行ステップと、
前記発行した識別情報及び該識別情報を送信先の機器に書き込むプログラムを添付した電子メールを前記移動通信端末へ送信するメール送信ステップと、
前記発行した識別情報を前記ロッカーへ通知する識別情報通知ステップと、
前記移動通信端末が前記メール送信ステップにより送信された電子メールを受信し、該電子メールの開封を認識すると同時に、前記プログラムが起動して該電子メールに添付された前記ロッカーの扉を解錠するための識別情報を自動的に記憶する記憶ステップと、
前記ロッカーが前記識別情報通知ステップにより通知された識別情報を登録する登録ステップと、
前記ロッカーが前記移動通信端末に記憶された識別情報を取得する取得ステップと、
前記ロッカーが前記取得した識別情報と前記登録された識別情報との一致判定を行う判定ステップと、
前記ロッカーが前記判定ステップにより前記取得した識別情報と前記登録された識別情報とが一致した際に前記ロッカー扉を解錠する解錠ステップと、
を有することを特徴とする移動通信端末を用いたロッカーシステムのロッカー扉解錠方法。
【請求項１２】
前記識別情報発行ステップは、前記識別情報発行サーバが前記利用申込みに対して割り当て可能な識別情報から任意に選択した識別情報を前記移動通信端末に対して発行することを特徴とする請求項１１記載の移動通信端末を用いたロッカーシステムの扉解錠方法。
【請求項１３】
前記移動通信端末が前記取得ステップによる識別情報の取得処理が行われた履歴情報を記憶する記憶ステップと、
前記移動通信端末が定期的に通信回線網を介して前記移動通信端末による通信料金の課金集計を行う課金サーバへ前記履歴情報を通知する履歴情報通知ステップと、
前記課金サーバが前記履歴情報通知ステップにより通知された履歴情報に基づいて前記ロッカーの利用料金を算出する利用料金算出ステップと、
前記課金サーバが前記利用料金算出ステップにより算出された前記ロッカーの利用料金を前記移動通信端末による通信料金と共に前記利用希望者に課金する課金ステップと、
を有することを特徴とする請求項１１又は１２記載の移動通信端末を用いたロッカーシステムのロッカー扉解錠方法。
【請求項１４】
前記ロッカーは、通信回線網を介して前記移動通信端末による通信料金の課金集計を行う課金サーバに接続され、
前記ロッカーが前記利用希望者による該ロッカーの利用情報を定期的に前記通信回線網を介して前記課金サーバに通知する利用情報通知ステップと、
前記課金サーバが前記利用情報通知ステップにより通知された前記利用情報に基づいて前記ロッカーの利用料金を算出する利用料金算出ステップと、
前記課金サーバが前記利用料金算出ステップにより算出された前記ロッカーの利用料金を前記移動通信端末による通信料金と共に前記利用希望者に課金する課金ステップと、
を有することを特徴とする請求項１１から１３の何れか１項に記載の移動通信端末を用いたロッカーシステムのロッカー扉解錠方法。
【発明の詳細な説明】
【技術分野】
【０００１】
本発明は、移動通信端末を用いたロッカーシステム及びその扉解錠方法に関し、特に利用者が所有する移動通信端末に予め記憶させた情報に基づいて、駅、コンビニエンスストア、遊戯施設といった公共の場に設置されるロッカー扉の解錠処理を制御可能な移動通信端末を用いたロッカーシステム及びその扉解錠方法に関する。
【背景技術】
【０００２】
従来、駅構内や遊戯施設といった公共の場所に設置されているロッカーは、コイン投入式のいわゆるコインロッカーが殆どであり、利用時には予め設定されている料金を投入してから荷物の預け入れを行い、施錠処理を行うものである。このロッカーを解錠する際には、施錠時に抜き取った鍵を鍵穴に差し込んで解錠処理を行い、荷物の取り出しを行う。
【０００３】
このようなコインロッカーの場合、施錠した際の鍵を持ち歩かなければならず、紛失や盗難といった災難に見舞われた際にロッカーを開けることができないといった不具合があった。
【０００４】
そこで、上述した不具合を解消するものとして、以下のものが公知となっている。
特許文献１の発明は、物を一時的に保管するロッカーボックスの施錠及び解錠をロッカー利用者の所有する通信端末からネットワークを介して制御するものである。
【０００５】
特許文献２の発明は、ロッカーの利用者が所有する携帯情報端末に対して、ロッカー管理装置（データセンタ）からロッカーの操作画面を提示し、当該操作画面上から入力された指示内容（操作情報）をロッカーへネットワークを介して送信することにより、ロッカーの動作制御（施錠／解錠）を行うものである。
【０００６】
【特許文献１】特開２００２−１８９７９７号公報
【特許文献２】特開２００３−２７８４２１号公報
【発明の開示】
【発明が解決しようとする課題】
【０００７】
しかしながら、上述したような従来のコインロッカーの場合、荷物等を預け入れた後、物理的な存在である鍵を持ち歩かなければならず、紛失や盗難といった危険性があるため、鍵を持ち歩きたくないとい要望が強い。
【０００８】
また、コイン投入式のロッカーの場合、短時間の利用であっても一定料金（例えば、１２時間３００円）を最初に徴収されるため、１，２時間といった短時間での利用時間に見合った課金体系を実現しにくいといった問題点があった。
【０００９】
さらに、特許文献１や２の発明では、扉の開閉制御を行う際に利用者の所有する通信端末から通信ネットワークへの接続が必須条件であるため、通信障害等による問題が発生した場合にはロッカーを解錠することができないという不具合に遭遇する危険性が非常に高いものである。
【００１０】
本発明は、ユーザが所有する移動通信端末にロッカーの正当な利用権限者であることを示す識別情報を、携帯電話機、固定電話機、ＰＣ、ＰＤＡ、ＦＡＸ等の通信機器を介しての利用申込時に、当該ユーザが所有する移動通信端末のメールアドレス宛に送信して記憶させ、実際のロッカー利用時に移動通信端末とロッカーとの直接のやりとりにより、ロッカー扉の解錠を行うことができ、その利用料金を移動通信端末の通話料金と共に課金することの可能なロッカーシステムを構築することを目的とする。
【課題を解決するための手段】
【００１１】
上述した目的を達成するため、本発明は、複数の収納ボックスからなるロッカーと、前記ロッカーの利用希望者が所有する移動通信端末と、前記利用希望者からの前記ロッカーの利用申込みに対して、該ロッカーの利用を許可する識別情報を発行する識別情報発行サーバと、から構成され、前記識別情報発行サーバは、前記利用申込みに対して前記ロッカーの正当な利用権限者であることを示す識別情報を発行する識別情報発行手段と、前記発行した識別情報及び該識別情報を送信先の機器に書き込むプログラムを添付した電子メールを前記移動通信端末へ送信するメール送信手段と、前記発行した識別情報を前記ロッカーへ通知する識別情報通知手段と有し、前記移動通信端末は、前記メール送信手段により送信された電子メールを受信し、該電子メールの開封を認識すると同時に、前記プログラムを起動させて該電子メールに添付されたロッカーの扉を解錠するための識別情報を自動的に記憶する記憶手段を有し、前記ロッカーは、前記識別情報通知手段により通知された識別情報を登録する登録手段と、前記記憶手段により前記移動通信端末に記憶された識別情報を取得する取得手段と、前記取得手段により取得した識別情報と前記登録手段により登録された識別情報との一致判定を行う判定手段と、前記判定手段により前記取得手段で取得した識別情報と前記登録手段で登録された識別情報とが一致した際に前記ロッカー扉を解錠する解錠手段と、を有することを特徴とする。
【００１２】
また、本発明によれば、前記識別情報は、前記移動通信端末のＭＡＣアドレスであることを特徴とする。
【００１３】
また、本発明によれば、前記識別情報発行手段は、前記利用申込みに対して割り当て可能な識別情報から任意に選択した識別情報を前記移動通信端末に対して発行することを特徴とする。
【００１４】
また、本発明によれば、前記取得手段は、赤外線通信又はブルートゥース（Ｂｌｕｅｔｏｏｔｈ）通信によるものであることを特徴とする。
【００１５】
また、本発明によれば、前記移動通信端末は、前記記憶手段により記憶した識別情報をバーコード情報として表示画面上に表示する表示手段を有し、前記取得手段は、前記表示手段により前記移動通信端末の表示画面上に表示されたバーコード情報を予め前記ロッカーに設置されているスキャナにより取得することを特徴とする。
【００１６】
また、本発明によれば、前記利用希望者による前記識別情報発行サーバへの利用申込みは、電話通信網を介しての電話連絡やＦＡＸ通信による申し込み、移動通信回線網を介して移動通信端末による申し込み、インターネット回線網を介しての電子メールや前記識別情報発行サーバにより運営されるＷｅｂサイト上での申し込み、の何れか又はこれらの組み合わせであることを特徴とする。
【００１７】
また、本発明によれば、前記識別情報発行サーバは、前記利用希望者からの利用希望期間の情報を含む利用申込みに応じて、前記識別情報の有効期間を設定することを特徴とする。
【００１８】
また、本発明によれば、前記移動通信端末は、前記取得手段による識別情報の取得処理が行われた履歴情報を記憶し、定期的に移動通信回線網を介して前記移動通信端末による通信料金の課金集計を行う課金サーバへ前記履歴情報を通知し、前記課金サーバは、前記履歴情報に基づいて算出した前記ロッカーの利用料金を前記移動通信端末による通信料金と共に前記利用希望者に課金することを特徴とする。
【００１９】
また、本発明によれば、前記ロッカーは、通信回線網を介して前記移動通信端末による通信料金の課金集計を行う課金サーバに接続され、前記利用希望者による前記ロッカーの利用情報を定期的に前記通信回線網を介して前記課金サーバに通知し、前記課金サーバは、前記利用情報に基づいて前記ロッカーの利用料金を算出し、当該利用料金を前記通信端末による通信料金と共に前記利用希望者に課金することを特徴とする。
【００２０】
また、本発明によれば、前記ロッカーは、前記移動通信端末を所持した利用希望者が該ロッカーから所定距離内に接近したことを検知する人検知手段を有し、前記取得手段は、前記人検知手段により利用希望者の存在を検知すると、前記移動通信端末に記憶されている識別情報の取得処理を実行することを特徴とする。
【００２１】
また、本発明は、複数の収納ボックスからなるロッカーと、前記ロッカーの利用希望者が所有する移動通信端末と、前記利用希望者からの利用申込みに対して、該ロッカーの利用を許可する識別情報を発行する識別情報発行サーバと、から構成されるロッカーシステムの扉解錠方法であって、前記利用希望者が前記識別情報発行サーバに対して識別情報の発行を依頼する識別情報発行依頼ステップと、前記識別情報発行サーバが前記依頼に対して前記ロッカーの正当な利用権限者であることを示す識別情報を発行する識別情報発行ステップと、前記発行した識別情報及び該識別情報を送信先の機器に書き込むプログラムを添付した電子メールを前記移動通信端末へ送信するメール送信ステップと、前記発行した識別情報を前記ロッカーへ通知する識別情報通知ステップと、前記移動通信端末が前記メール送信ステップにより送信された電子メールを受信し、該電子メールの開封を認識すると同時に、前記プログラムが起動して該電子メールに添付されたロッカーの扉を解錠するための識別情報を自動的に記憶する記憶ステップと、前記ロッカーが前記識別情報通知ステップにより通知された識別情報を登録する登録ステップと、前記ロッカーが前記移動通信端末に記憶された識別情報を取得する取得ステップと、前記ロッカーが前記取得した識別情報と前記登録された識別情報との一致判定を行う判定ステップと、前記ロッカーが前記判定ステップにより前記取得した識別情報と前記登録された識別情報とが一致した際に前記ロッカー扉を解錠する解錠ステップと、を有することを特徴とする。
【００２２】
また、本発明によれば、前記識別情報発行ステップは、前記識別情報発行サーバが前記利用申込みに対して割り当て可能な識別情報から任意に選択した識別情報を前記移動通信端末に対して発行することを特徴とする。
【００２３】
また、本発明によれば、前記移動通信端末が前記取得ステップによる識別情報の取得処理が行われた履歴情報を記憶する記憶ステップと、前記移動通信端末が定期的に通信回線網を介して前記移動通信端末による通信料金の課金集計を行う課金サーバへ前記履歴情報を通知する履歴情報通知ステップと、前記課金サーバが前記履歴情報通知ステップにより通知された履歴情報に基づいて前記ロッカーの利用料金を算出する利用料金算出ステップと、前記課金サーバが前記利用料金算出ステップにより算出された前記ロッカーの利用料金を前記移動通信端末による通信料金と共に前記利用希望者に課金する課金ステップと、を有することを特徴とする。
【００２４】
また、本発明によれば、前記ロッカーは、通信回線網を介して前記移動通信端末による通信料金の課金集計を行う課金サーバに接続され、前記ロッカーが前記利用希望者による該ロッカーの利用情報を定期的に前記通信回線網を介して前記課金サーバに通知する利用情報通知ステップと、前記課金サーバが前記利用情報通知ステップにより通知された前記利用情報に基づいて前記ロッカーの利用料金を算出する利用料金算出ステップと、前記課金サーバが前記利用料金算出ステップにより算出された前記ロッカーの利用料金を前記移動通信端末による通信料金と共に前記利用希望者に課金する課金ステップと、を有することを特徴とする。
【発明の効果】
【００３０】
本発明によれば、利用者が所有する移動通信端末にロッカーの正当な利用権限者であることを示す識別情報を記憶しておき、当該記憶された識別情報を用いてロッカー扉の解錠処理を行うことができる。したがって、利用者は従来のようにロッカーの鍵を持ち歩く必要がなく、紛失や盗難といった危険を回避することができる。
【００３１】
また、本発明によれば、ロッカーの正当な利用権限者であることを示す識別情報を記憶した移動通信端末とロッカーとの間で直接やりとりを行うシステム構成となっているので、通信障害（ネットワーク）障害などにより通信不可能な状況に陥った場合でも、その影響を受けることなくロッカー扉の解錠処理を行うことができる。
【００３２】
さらに、本発明によれば、ロッカーを利用することにより発生した料金（利用料）の回収を移動通信端末による通信料金に加算して徴収するシステム構成とすることができるので、例えば、利用時間（時間単位から分単位まで）に応じた細かい課金形態を実現することができる。
【発明を実施するための最良の形態】
【００３３】
以下、添付図面を参照しながら本発明に係る移動通信端末を用いたロッカーシステム及びその扉解錠方法の実施の形態を詳細に説明する。図１から図１２に、本発明に係る移動通信端末を用いたロッカーシステム及びその扉解錠方法の実施例を示す。
【実施例１】
【００３４】
図１は、本発明の実施例１であるロッカーシステムの概略構成を示すブロック図である。図１において、本発明の実施例１であるロッカーシステムは、複数のロッカー１０Ａ〜１０Ｎと、携帯電話機やＰＤＡ（携帯用端末）などの移動通信端末２０と、から構成される。
【００３５】
ロッカー１０Ａ〜１０Ｎの夫々は、ロッカー扉の施錠／解錠を制御する制御機能を備えると共に、移動通信端末２０と直接データのやりとりを実現するための手段として、赤外線通信やブルートゥース（Bluetooth）通信などの通信機能及び／又はバーコード情報によるデータ取得を実現するスキャナ機能を搭載している。
【００３６】
移動通信端末２０は、ロッカーの利用希望者が所有する通信端末（携帯電話機や通信機能を備えるＰＤＡなど）である。なお、移動通信端末２０は、ロッカー１０Ａ〜１０Ｎとの直接通信を可能ならしめる赤外線通信やブルートゥース（Bluetooth）通信などの通信機能を具備してもよい。
【００３７】
通常、移動通信端末２０としての携帯電話機やＰＤＡなどのネットワーク機器には、予め製造段階で固有の識別アドレス（ＭＡＣアドレス＝固有識別情報）が組み込まれている。本実施例１では、この固有識別情報であるＭＡＣアドレスを用いてロッカーの解錠を実現しようとするものである。
【００３８】
図２は、本発明の実施例１であるロッカーシステムの動作例を示すシーケンスチャートである。まず、ロッカーの利用希望者は、ロッカー１０に荷物を預け入れる際、移動通信端末２０のＭＡＣアドレス（固有識別情報）を当該ロッカーへ１０提供する（ステップＳ１）。
【００３９】
ここでの提供の仕方としては、例えば、ロッカーの管理会社により運営されるＷｅｂページ上から予めＭＡＣアドレスの読み出し処理、当該読み出したＭＡＣアドレスから一次元或いは二次元のバーコード情報を生成する処理、を行うプログラムを移動通信端末２０にダウンロードしておき、提供時にこれらのプログラムを起動することで簡易に行うことができる。
【００４０】
上記プログラムにより読み出された移動通信端末２０のＭＡＣアドレスは、該移動通信端末２０からロッカー１０に対して赤外線通信やブルートゥース（Bluetooth）通信等により、直接転送することが可能である。
【００４１】
また、上述したように、バーコード情報を生成するプログラムがある場合には、当該プログラムを起動することにより、ＭＡＣアドレスに基づくバーコード情報を生成して移動通信端末２０の表示部に表示させ、この表示されたバーコード情報をロッカー１０の操作パネル上に設けられたスキャナにより取り込む方式を採用することも可能である。
【００４２】
ロッカー１０は、以上の処理で取得した固有識別情報（ＭＡＣアドレス）を取得すると、宅配物（荷物）の預け入れなのか、取り出しなのか、といった確認処理を行う（ステップＳ２）。この確認は、ロッカーの操作パネル上に設けられたスピーカを介して音声メッセージを送出、或いは、表示部に何れの処理であるかの選択を促す画面を表示し、利用希望者に選択させるものである。
【００４３】
ステップＳ２の確認処理において、預け入れ動作であると確認すると、ロッカー１０は、現在使用されていない収納ボックス（ロッカー）の解錠処理を行うと共に、ステップＳ１で提供された識別番号（ＭＡＣアドレス）を当該ロッカーのメモリに収納ボックスの番号に関連付けて記憶する（ステップＳ３）。
【００４４】
次に、ロッカー利用時（取り出し）の動作例を説明する。
利用希望者が預け入れた荷物を取り出す際には、先ず、移動通信端末２０にダウンロードしたプログラムを起動し、ロッカー１０に識別情報を提供する（ステップＳ４）。具体的には、利用希望者がロッカー１０に出向き、当該ロッカー１０の操作パネル上に表示されているメニュー画面から「ロッカー利用」などのメニューを選択する。
すると、ロッカー１０は、利用希望者に対して表示部やスピーカなどを介して上記プログラムの起動を促すメッセージガイダンスを報知する。利用希望者は、このメッセージガイダンスに従ってプログラムを起動すると、当該プログラムにより読み出されたＭＡＣアドレスが、赤外線通信やブルートゥース（Bluetooth）通信により移動通信端末２０からロッカー１０に対して直接転送される。
【００４５】
また、バーコード情報の生成プログラムを備えている場合には、当該プログラムを起動することでＭＡＣアドレスに基づくバーコード情報が生成され、移動通信端末２０の表示部に表示されるので、この表示されたバーコード情報をロッカー１０の操作パネル上に設けられたスキャナにかざすことにより、移動通信端末２０のＭＡＣアドレスがロッカー１０へ取り込まれる。
【００４６】
ロッカー１０は、赤外線通信やブルートゥース（Bluetooth）通信により直接転送又はスキャナにより移動通信端末２０のＭＡＣアドレス（識別情報）を取得すると、ステップＳ２の処理と同様に、荷物の預け入れなのか、取り出しなのか、といった確認処理を行う（ステップＳ５）。
【００４７】
ステップＳ５において、荷物の取り出し処理であると確認すると、ロッカー１０は、ステップＳ３で記憶された識別番号との一致判定処理を行い（ステップＳ６）、一致する場合には預け入れのあった収納ボックス（ロッカー）の解錠処理を行う（ステップＳ７）。
なお、ステップＳ６の一致判定処理において、提供された識別番号と一致しない場合には、預け入れ荷物が存在しないので、預け入れがない旨を示すメッセージをロッカーの操作パネルに設けられた表示部に表示或いはスピーカを介して音声メッセージを送出して処理を終了する（ステップＳ８）。
【００４８】
なお、当然ながら通信障害等によりロッカー１０側でＭＡＣアドレスの取得処理が正常に行われなかった場合は、再度、ＭＡＣアドレス（固有識別情報）の取得処理を行う旨を示すメッセージを報知することも可能である。
【００４９】
なお、本発明の実施例１では、移動通信端末２０に予め組み込まれているＭＡＣアドレス（固有識別情報）を解錠情報として用いているが、例えば、最近では指紋読取機能を備える端末も出回っており、所謂バイオメトリックス情報による処理も今後想定され得る。そこで、指紋読取機能を備える移動通信端末の場合には、予め取り込ませた指紋情報を固有識別情報として採用してもよい。
【００５０】
本発明の実施例１によれば、ロッカーの利用者は、物理的存在であるロッカーの鍵を持ち歩く必要がなく、紛失や盗難といった恐れを飛躍的に軽減できると共に、移動通信端末を携帯するだけで簡単にロッカーを利用することができる。
【実施例２】
【００５１】
図３は、本発明の実施例２であるロッカーシステムの概略構成を示すブロック図である。図３において、本発明の実施例２であるロッカーシステムは、複数のロッカー１０Ａ〜１０Ｎと、ロッカーの利用希望者が所有する移動通信端末２０と、該ロッカーの利用希望者が正当な利用権限者であることを示す識別情報を発行する識別情報発行サーバ３０と、から構成され、移動通信端末２０と識別情報発行サーバ３０とは、有線又は無線に限定されることのない通信回線１００を介して接続されている。
【００５２】
ロッカー１０Ａ〜１０Ｎは、上述した実施例１の場合と同様に、ロッカー扉の施錠／解錠を制御する制御機能を備えると共に、赤外線通信やブルートゥース（Bluetooth）通信などの通信機能やバーコード情報によるデータ取得を実現するスキャナ機能を搭載している。
また、ロッカー１０Ａ〜１０Ｎは、予めロッカー扉の解錠情報として各収納ボックスの識別情報を記憶している。この識別情報は、後述する識別情報発行サーバ３０により、利用希望者に対して任意に割り当てられる識別情報として管理される。
【００５３】
識別情報発行サーバ３０は、例えば、ロッカーの管理会社等により管理運営されるサーバ装置であり、ロッカー扉の解錠情報として利用される任意に割り当て可能な識別情報（ロッカー１０Ａ〜１０Ｎに予め割り当てられている識別情報）を管理している。
この識別情報発行サーバ３０は、通信回線１００を介してアクセスのあった移動通信端末２０からロッカーの利用申込み（移動通信端末２０のメールアドレスを含む識別情報発行依頼）があると、予め管理している任意に割り当て可能な識別情報から当該移動通信端末２０に対して任意の識別情報を発行する機能を備えている。
ここでの発行とは、移動通信端末２０からの利用申込み時に送信される当該移動通信端末２０のメールアドレス宛に識別情報を送信する処理を言う。
なお、識別情報発行サーバ３０から送信される識別情報は、利用希望者によるメール開封動作によって自動的に移動通信端末２０のメモリ内に書き込まれるようなプログラムを添付した形式で送信するとよい。
【００５４】
移動通信端末２０は、実施例１の場合と同様に、ロッカーの利用希望者が所有する通信端末（携帯電話機や通信機能を備えるＰＤＡなど）であるが、ロッカー１０Ａ〜１０Ｎとの直接通信を可能ならしめる赤外線通信やブルートゥース（Bluetooth）通信などの通信機能を具備している。
【００５５】
図４は、本発明の実施例２である移動通信端末を用いたロッカーシステムの動作例を示すシーケンスチャートである。まず、ロッカーの利用希望者は、自身が所有する移動通信端末から通信回線１００を介して識別情報の発行依頼（移動通信端末２０のメールアドレスの情報を含む）を識別情報発行サーバ３０へ送信する（ステップＳ１１）。
この識別情報の発行依頼方法としては、例えば、識別情報発行サーバ３０により提供されるＷｅｂコンテンツ上での依頼である。
【００５６】
識別情報発行サーバ３０は、移動通信端末２０からの識別情報の発行依頼を受け付けると、予め割り当て可能な識別情報の中から任意に選択した識別情報を移動通信端末２０へ送信する（ステップＳ１２）。
【００５７】
次に、ロッカー利用時の動作例を説明する。
移動通信端末２０は、ロッカーの管理会社により運営されるＷｅｂページ上からメモリ内に記憶した識別情報の読み出し処理、読み出した識別情報から一次元或いは二次元のバーコード情報を生成する処理、を行うプログラムを移動通信端末２０にダウンロードしておき、実際の登録時に当該プログラムを起動することで、ロッカー１０間での識別情報のやりとりを簡易に行うことができる。
【００５８】
利用希望者が実際にロッカーを利用する際には、先ず、移動通信端末２０にダウンロードしたプログラムを起動し、ロッカー１０に識別情報の取得処理を行わせる。具体的には、利用希望者が実際に利用するロッカー１０へ出向き、当該ロッカー１０の操作パネル上に表示されているメニュー画面から「ロッカー利用」などのメニューを選択する。
すると、ロッカー１０は、利用希望者に対して表示部やスピーカなどを介して上記プログラムの起動を促すメッセージガイダンスを報知する。利用希望者は、このメッセージガイダンスに従ってプログラムを起動すると、当該プログラムにより読み出された識別情報が、赤外線通信やブルートゥース（Bluetooth）通信により移動通信端末２０からロッカー１０へ直接転送される（ステップＳ１３）。
【００５９】
また、バーコード情報の生成プログラムによる場合には、当該プログラムを起動することで識別情報に基づくバーコード情報が生成され、移動通信端末２０の表示部に表示されるので、この表示されたバーコード情報をロッカー１０の操作パネル上に設けられたスキャナにかざすことにより、移動通信端末２０の識別情報がロッカー１０へ取り込まれる。
【００６０】
ロッカー１０は、赤外線通信やブルートゥース（Bluetooth）通信により直接転送又はスキャナにより取り込んだ識別情報と予め登録されている識別情報との一致判定を行い（ステップＳ１４）、一致する場合にはロッカー１０の扉解錠処理を行い（ステップＳ１５）、不一致の場合には処理中止メッセージを表示部に表示或いはスピーカを介して音声メッセージを送出して処理を終了する（ステップＳ１６）。
【００６１】
なお、当然ながら通信障害等によりロッカー１０側で識別情報の取得処理が正常に行われなかった場合は、再度、識別情報の取得処理を行う旨を示すメッセージを報知することも可能である。
【００６２】
さらに、本実施例２では、ロッカーの利用申込み（識別番号の発行依頼）を移動通信端末２０から識別情報発行サーバ３０に対して送信する形態を説明したが、当該移動通信端末２０以外の固定電話機、ＦＡＸ、ＰＣ、携帯電話機、ＰＤＡなどの通信機器からの利用申込みも可能である。この利用申込みには、利用者が所有する移動通信端末２０のメールアドレスが必ず含まれるものである。
【実施例３】
【００６３】
図５は、本発明の実施例３であるロッカーシステムの概略構成を示すブロック図である。図５において、本発明の実施例３である移動通信端末を用いたロッカーシステムは、複数のロッカー１０Ａ〜１０Ｎと、移動通信端末２０と、識別情報発行サーバ３０と、各種の通信端末４０と、から構成され、ロッカー１０Ａ〜１０Ｎと、識別情報発行サーバ３０と、各種の通信端末４０と、が通信回線網１００を介して接続されてなる。
【００６４】
ロッカー１０Ａ〜１０Ｎは、上述した実施例１，２の場合と同様に、ロッカー扉の施錠／解錠を制御する制御機能と共に、赤外線通信やブルートゥース（Bluetooth）通信などの通信機能やバーコード情報によるデータ取得を実現するスキャナ機能を搭載している。
【００６５】
移動通信端末２０は、ロッカーの利用希望者が所有する通信端末（携帯電話機や通信機能を備えるＰＤＡなど）である。この移動通信端末２０は、識別情報発行サーバ１０から当該移動通信端末２０のメールアドレス宛に送信された識別情報を記憶又は表示画面上にバーコード情報として表示する機能を備えている。
なお、識別情報として送信されるメールには、当該メールを開封すると自動的に移動通信端末２０内のメモリに識別情報を記憶するプログラムが添付されているので、利用者は単にメールの確認処理を行うだけで識別情報を記憶させることができる。
【００６６】
また、添付されるプログラムを、移動通信端末２０内メモリに記憶した識別情報をバーコード情報（一次元／二次元）として再現可能なプログラムとしておくことも可能である。この場合、ロッカー１０Ａ〜１０Ｎからの識別情報取得要求をトリガーとしてメモリに記憶されている識別情報を移動通信端末２０の表示画面上にバーコード情報として再現し、ロッカー１０Ａ〜１０Ｎの操作パネル上に設けられているバーコードスキャナに読み取らせて識別情報の読取処理を行うようにしてもよい。
【００６７】
識別情報発行サーバ３０は、ロッカー１０Ａ〜１０Ｎの管理会社によって運営されるサーバ装置であり、各種の通信端末２０を介して当該利用希望者によって所有される移動通信端末２０のメールアドレスを含む利用申込み（識別情報の発行依頼）が送信されると、当該メールアドレス宛にロッカーの正当な利用権限者であることを示す識別情報を送信する機能を備えている。
また、識別情報発行サーバ３０は、任意の利用希望者に識別情報を発行すると、通信回線１００を介してロッカー１０Ａ〜１０Ｎの全て又は何れかに当該識別情報を送信する機能を備えている。
【００６８】
識別情報発行サーバ３０から移動通信端末２０へ送信される識別情報には、上述したように、移動通信端末２０のメールアドレスに対して、メールの開封と同時に移動通信端末２０内のメモリに自動的に書き込む添付プログラムという形式で送信される。
さらに、この識別情報に有効期間、例えば、発行から２４時間有効、或いは、発行から３０日間有効、というように、識別情報発行サーバ３０側で予め利用希望者の申込み内容に応じた識別情報の有効期間（時間）を設定しておくことで、ロッカーの日貸しや月貸し、といった利用方法が可能となる。
【００６９】
またさらに、識別情報に、例えば、東京駅周辺、浅草寺近隣、といった地域的制限や一時に利用可能なロッカー数などの情報を、識別情報発行サーバ３０へ利用申込みを送信する際に併せて指定することが可能である。
【００７０】
各種の通信端末４０は、例えば、図５に示したように、固定電話機、ＦＡＸ、ＰＣ、携帯電話機、ＰＤＡなどの通信機器であり、利用者がロッカーの利用申込みを送信するために用いられる。なお、この利用申込みには、利用者が所有する移動通信端末２０のメールアドレスが必ず含まれている。なお、利用希望者が所有する移動通信端末２０からの利用申込みも当然可能である。
【００７１】
ロッカー１０Ａ〜１０Ｎの夫々は、複数の収納ボックスからなるロッカーであり、識別情報発行サーバ３０と通信回線１００を介しての通信機能を備えている。なお、この通信機能は、有線回線によるものに限らず、無線回線によるものであってもよい。
また、ロッカー１０Ａ〜１０Ｎの夫々は、利用者によるロッカーの利用履歴をログ情報として利用者毎の識別情報に関連付けて記憶管理する機能を具備している。
【００７２】
図６は、本発明の実施例３であるロッカーシステムの動作例を示すシーケンスチャートである。まず、ロッカーの利用希望者は、各種の通信端末４０から識別情報発行サーバ３０に対して、当該利用希望者が所有する移動通信端末２０のメールアドレスを含む識別情報の発行依頼（利用申込み）を送信する（ステップＳ２１）。
【００７３】
ステップＳ２１において、各種の通信端末４０として固定電話機や携帯電話機を用いた場合には、識別情報発行サーバ３０に音声認識機を設けておき、利用希望者が通常の電話と同様に利用申込みを口頭で伝達するような構成としてもよい。
また、各種の通信端末４０として、ＦＡＸを用いた場合には、識別情報発行サーバ３０にＯＣＲ機能を設け、或いは、ＦＡＸデータをそのまま取り扱える機構を組み込んでおくことにより、識別情報を発行するまでの処理を簡便に行うことができる。
さらに、各種の通信端末４０としてＰＣから電子メールによる利用申込情報を送信しても、当該ＰＣから識別情報発行サーバ３０により運営されるＷｅｂコンテンツにアクセスし、当該コンテンツ上での利用申込情報の送信処理を行うことも可能である。
なお、識別情報発行サーバ３０側でのオペレータ処理による利用申込みの受け付けも当然ながら可能である。
【００７４】
次に、識別情報発行サーバ３０は、各種の通信端末４０から送信された利用申込み並びに現在のロッカーの状況などを加味して、利用希望者が正当な利用権限者であることを示す識別情報を発行し（ステップＳ２２）、前記利用申込みに含まれる利用希望者が所有する移動通信端末２０のメールアドレスに対して識別情報を送信すると共に（ステップＳ２３）、ロッカー１０Ａ〜１０Ｎの何れか又は全てに前記識別情報を送信する（ステップＳ２４）。
【００７５】
移動通信端末２０は、ステップＳ２３において識別情報発行サーバ３０から通信回線１００を介して送信された識別情報を記憶する（ステップＳ２５）。また、ステップＳ２４において識別情報が送信されたロッカー１０Ａ〜１０Ｎの何れか又は全ても、当該識別情報の登録処理を行う（ステップＳ２６）。
【００７６】
次に、ロッカーの利用希望者は、識別情報が記憶された移動通信端末２０を所持した状態で実際に利用したいロッカー１０Ａ〜１０Ｎの何れかの前（仮にロッカー１０Ａとする）へ移動する（ステップＳ２７）。
【００７７】
ロッカー１０Ａ〜１０Ｎは、不図示の人検知センサを備えており、当該センサにより人物がロッカー前に存在することを確認すると（ステップＳ２８）、自動的にスピーカを介して音声ガイダンス又は表示部にメッセージを表示し、識別情報の取得要求を移動通信端末２０へ送信する（ステップＳ２９）。
なお、必ずしも人検知センサを具備する必要はなく、実施例２の場合と同様に、ロッカー１０の操作パネル上に表示されているメニュー画面から「ロッカー利用」などのメニューの選択をトリガーとしてもよい。
【００７８】
移動通信端末２０は、ロッカー１０Ａからの識別情報取得要求に対して自身がメモリ内に記憶している識別情報を送信する（ステップＳ３０）。
【００７９】
ロッカー１０Ａは、移動通信端末２０から取得した識別情報が予め登録されている識別情報と一致するか否かの判定を行い（ステップＳ３１）、一致する場合には解錠処理を行い（ステップＳ３２）、一致しない場合には処理中止の旨を示すメッセージを送出して処理を終了する（ステップＳ３３）。
【００８０】
なお、ロッカー１０は、通信障害等により識別情報が取得できない場合、操作パネル上に設けられた表示部やスピーカを介してその旨を利用希望者に対して報知し、再度識別情報の取得を行う動作へと移行することも可能である。
【００８１】
また、移動通信端末２０が識別情報からバーコード情報を生成するプログラム具備している場合には、ロッカー１０Ａからの識別情報取得要求をトリガーとして当該プログラムを起動し、自身がメモリに記憶している識別情報を読み出して移動通信端末２０の表示画面上にバーコード情報として再現し、ロッカー１０Ａ〜１０Ｎの操作パネル上に設けられているバーコードスキャナに読み取らせて識別情報の読取処理を行うようにしてもよい。
【００８２】
図７は、利用者が実際にロッカーへ出向いた際の第１のイメージ図である。
図７に示すように、利用者がロッカー１０から１〜２ｍ以内に近づくと、ロッカー１０に設置される人検知センサにより検知され、操作パネル上の表示部やスピーカを介して「いらっしゃいませ。ただ今から識別情報の読取処理を行いますので、現在の位置でお待ち下さい。」といった音声メッセージが報知される。
【００８３】
利用者は、この段階で移動通信端末２０の操作ボタン等を特に操作することなく、当該移動通信端末２０のメモリに記憶されている識別情報がロッカー１０によって読み出される。ロッカー１０は、移動通信端末２０から読み出した識別情報と予め識別情報発行サーバ３０から送信されて登録処理を行った識別情報との一致判定処理を行い、一致する場合にはロッカー（収納ボックス）の解錠処理を行い、不一致の場合には、処理を中止するメッセージを送出して一連の処理を終了する。
【００８４】
図８は、利用者が実際にロッカーへ出向いた際の第２のイメージ図である。
図８に示すように、利用者がロッカー１０から１〜２ｍ以内に近づくと、ロッカー１０に設置される人検知センサにより検知され、操作パネル上の表示部やスピーカを介して「いらっしゃいませ。バーコード情報を携帯電話機の表示画面上に表示して下さい。」との音声ガイダンスが流れる。
【００８５】
これに対し、利用者は、移動通信端末２０の操作ボタンから操作指示を入力して識別情報をバーコード情報として表示させる。表示が完了すると、ロッカー１０から再び「携帯電話機の表示画面に表示されたバーコード情報をスキャナにかざして下さい。」といった音声ガイダンスが流れる。利用者は、移動通信端末２０の表示画面をロッカー１０の操作パネル上に設けられたバーコードスキャナにかざす。
【００８６】
ロッカー１０は、バーコードスキャナにより移動通信端末２０が記憶している識別情報を読み出すと、予め識別情報発行サーバ３０から送信され登録処理を行った識別情報との一致判定処理を行い、一致する場合にはロッカー（収納ボックス）の解錠処理を行い、不一致の場合には、処理を中止するメッセージを送出して一連の処理を終了する。
なお、図８では、従来の一次元バーコードの一例を示したが、一次元バーコードよりも情報量の多い二次元バーコードの採用により、セキュリティー面も考慮した実現が可能となる。
【実施例４】
【００８７】
図９は、本発明の実施例４であるロッカーシステムの概略構成を示すブロック図である。
本発明の実施例４であるロッカーシステムは、実施例３で示したシステム構成に、移動通信端末による通信料金（通話料金）を一元管理する課金サーバ５０が接続されて構成される。
なお、実施例１や実施例２の構成の場合においても、移動通信端末の通信料金を管理する課金サーバとして構築可能である。
【００８８】
図１０は、本発明における第１の課金処理例を示すシーケンスチャートである。
まず、移動通信端末２０とロッカー１０間での解錠処理が行われると（ステップＳ４１），解錠処理が行われる毎にロッカーの利用情報としてロッカー１０のメモリに記憶する（ステップＳ４２）。
【００８９】
ロッカー１０のメモリに記憶されたロッカー１０の利用情報は、定期的に課金サーバ５０に対して通知される（ステップＳ４３）。課金サーバ５０は、ロッカー１０から通知された利用情報に基づいて、ロッカーの利用料金を算出する（ステップＳ４４）。
なお、利用料金の算出は、利用回数、利用時間、といった基準によって算出されるが、当該サービスの提供側で任意に規定することが可能である。
以上のようにして算出されたロッカー１０の利用料金は、通常の移動通信端末２０による通信料金（通話料金など）と共に、利用者に対して課金される。
【００９０】
図１０に示す課金形態は、ロッカー側から移動通信端末の通信料金を管理する課金サーバ５０（携帯電話機の場合には、携帯電話会社によって管理される）に対して利用情報（利用ログ）を送信し、課金サーバ５０で送信された利用ログからロッカーの利用料金を算出する。
【００９１】
図１１は、本発明における第２の課金処理例を示すシーケンスチャートである。
まず、移動通信端末２０は、ロッカー１０間での識別情報の取得処理回数を履歴情報（ログ管理）としてメモリに記憶し（ステップＳ５１）、移動通信端末２０のメモリに記憶されたロッカー１０の利用情報は、定期的に課金サーバ５０に対して通知される（ステップＳ５２）。
【００９２】
課金サーバ５０は、移動通信端末２０から通知された履歴情報に基づいて、ロッカーの利用料金を算出する（ステップＳ５３）。このようにして算出されたロッカー１０の利用料金は、通常の移動通信端末２０による通信料金（通話料金など）と共に、利用者に対して課金される。
なお、利用料金の算出は、利用回数、利用時間、といった基準によって算出されるが、このようなサービスを提供側で任意に規定することが可能である。
【００９３】
なお、上述する実施形態は、本発明の好適な実施形態であり、本発明の主旨を逸脱しない範囲内において種々変形して実施することが可能である。
【図面の簡単な説明】
【００９４】
【図１】本発明の実施例１であるロッカーシステムの概略構成を示すブロック図である。
【図２】本発明の実施例１であるロッカーシステムの動作例を示すシーケンスチャートである。
【図３】本発明の実施例２であるロッカーシステムの概略構成を示すブロック図である。
【図４】本発明の実施例２であるロッカーシステムの動作例を示すシーケンスチャートである。
【図５】本発明の実施例３であるロッカーシステムの概略構成を示すブロック図である。
【図６】本発明の実施例３であるロッカーシステムの動作例を示すシーケンスチャートである。
【図７】利用者が実際にロッカーへ出向いた際の第１のイメージ図である。
【図８】利用者が実際にロッカーへ出向いた際の第２のイメージ図である。
【図９】本発明の実施例４であるロッカーシステムの概略構成を示すブロック図である。
【図１０】本発明における第１の課金処理例を示すシーケンスチャートである。
【図１１】本発明における第２の課金処理例を示すシーケンスチャートである。
【符号の説明】
【００９５】
１０Ａ〜１０Ｎ  ロッカー
２０  移動通信端末
３０  識別情報発行サーバ
４０  各種の通信端末
５０  課金サーバ
１００  通信回線
【図１】
0004636788.tif 000002
【図２】
0004636788.tif 000003
【図３】
0004636788.tif 000004
【図４】
0004636788.tif 000005
【図５】
0004636788.tif 000006
【図６】
0004636788.tif 000007
【図７】
0004636788.tif 000008
【図８】
0004636788.tif 000009
【図９】
0004636788.tif 000010
【図１０】
0004636788.tif 000011
【図１１】
0004636788.tif 000012